(57)【要約】【課題】省スペース化を実現できる車両用映像表示システムを提供すること。【解決手段】この車両用映像表示システム１は、車両に搭載されて確認用の映像を取得する主カメラ２１と、主カメラ２１からの映像信号を出力するモニタ３１と、車両に搭載されて記録用の映像を取得する補助カメラ２４と、補助カメラ２４からの映像信号を記録するレコーダ４１と、モニタ３１およびレコーダ４１を収容する単一のハウジング１１とを備えている。【選択図】図１
2014168169.tif 000002
【特許請求の範囲】
【請求項１】
車両の周囲の映像を取得して表示する車両用映像表示システムであって、
車両に搭載されて確認用の映像を取得する主カメラと、
前記主カメラからの映像信号を出力するモニタと、
車両に搭載されて記録用の映像を取得する補助カメラと、
前記補助カメラからの映像信号を記録するレコーダと、
前記モニタおよび前記レコーダを収容する単一のハウジングとを備えることを特徴とする車両用映像表示システム。
【請求項２】
前記主カメラからの映像信号を前記モニタ側に転送すると共に前記補助カメラからの映像信号を前記レコーダ側に転送するマルチプレクサを備える請求項１に記載の車両用映像表示システム。
【請求項３】
前記レコーダが、リムーバブルメモリである外部メモリに対して前記映像信号を記録するライタである請求項１または２に記載の車両用映像表示システム。
【請求項４】
前記ハウジングが、車両のルームミラー自体あるいはルームミラー用支持部に対して取付可能な取付部を有する請求項１〜３のいずれか一つに記載の車両用映像表示システム。
【請求項５】
前記補助カメラと前記ハウジングとが、一体構造を有する請求項１〜４のいずれか一つに記載の車両用映像表示システム。
【請求項６】
前記補助カメラが、前記ハウジングの中心位置から一方向に偏った位置に配置される請求項５に記載の車両用映像表示システム。
【請求項７】
前記補助カメラと前記ハウジングとが、着脱可能な一体構造を有する請求項５または６に記載の車両用映像表示システム。
【請求項８】
車両の周囲の映像を取得して表示する車両用映像表示システムであって、
車両に搭載されて確認用の映像を取得する主カメラと、
前記主カメラからの映像信号を出力するモニタと、
車両に搭載されて記録用の映像を取得する補助カメラと、
前記補助カメラからの映像信号を記録するレコーダとを備え、且つ、
前記補助カメラと前記モニタのハウジングとが、着脱可能な一体構造を有することを特徴とする車両用映像表示システム。
【請求項９】
前記ハウジングが、前記補助カメラを着脱可能に保持するカメラホルダを有する請求項８に記載の車両用映像表示システム。
【請求項１０】
前記カメラホルダが、前記ハウジングに形成された凹部である請求項９に記載の車両用映像表示システム。
【請求項１１】
前記補助カメラが、前記ケーブルを介して前記ハウジング側に電気的に接続されると共に、前記ハウジングが、前記ケーブルを巻き取りおよび巻き出し可能なケーブル機構を有する請求項８〜１０のいずれか一つに記載の車両用映像表示システム。
【請求項１２】
前記補助カメラが、着脱可能なケーブルを介して前記ハウジング側に電気的に接続される請求項８〜１１のいずれか一つに記載の車両用映像表示システム。
【請求項１３】
前記補助カメラが、前記ハウジングの中心位置から一方向に偏った位置に配置される請求項８〜１２のいずれか一つに記載の車両用映像表示システム。
【請求項１４】
車両に搭載されて映像を取得する複数の前記主カメラを備え、且つ、
前記モニタが、前記複数の主カメラからの映像信号をマルチビジョンで出力する請求項１〜１３に記載の車両用映像表示システム。
【発明の詳細な説明】
【技術分野】
【０００１】
この発明は、車両用映像表示システムに関し、さらに詳しくは、省スペース化を実現できる車両用映像表示システムに関する。
【背景技術】
【０００２】
近年の車両は、映像表示装置および映像記録装置をそれぞれ搭載している。映像表示装置は、車両の周囲の映像をカメラで取得して、運転席に設置されたモニタに表示する装置である。この映像表示装置により、運転席からの車両周囲の安全確認が容易となる。映像記録装置は、いわゆるドライブレコーダであり、車両の周囲や車内の様子などの映像をカメラで取得して記録する装置である。この映像記録装置により、車両走行時の状況などの事後的な検証が容易となる。
【０００３】
かかる従来の映像表示装置として、例えば、特許文献１に記載される技術が知られている。また、従来の映像記録装置として、例えば、特許文献２、３に記載される技術が知られている。
【先行技術文献】
【特許文献】
【０００４】
【特許文献１】特開２００５−１７６０６５号公報
【特許文献２】特開２００９−１９３２５７号公報
【特許文献３】特開２０１２−１５９８９７号公報
【発明の概要】
【発明が解決しようとする課題】
【０００５】
この発明は、省スペース化を実現できる車両用映像表示システムを提供することを目的とする。
【課題を解決するための手段】
【０００６】
上記目的を達成するため、この発明にかかる車両用映像表示システムは、車両の周囲の映像を取得して表示する車両用映像表示システムであって、車両に搭載されて確認用の映像を取得する主カメラと、前記主カメラからの映像信号を出力するモニタと、車両に搭載されて記録用の映像を取得する補助カメラと、前記補助カメラからの映像信号を記録するレコーダと、前記モニタおよび前記レコーダを収容する単一のハウジングとを備えることを特徴とする。
【０００７】
また、この発明にかかる車両用映像表示システムは、車両の周囲の映像を取得して表示する車両用映像表示システムであって、車両に搭載されて確認用の映像を取得する主カメラと、前記主カメラからの映像信号を出力するモニタと、車両に搭載されて記録用の映像を取得する補助カメラと、前記補助カメラからの映像信号を記録するレコーダとを備え、且つ、前記補助カメラと前記モニタのハウジングとが、着脱可能な一体構造を有することを特徴とする。
【発明の効果】
【０００８】
この発明にかかる車両用映像表示システムでは、モニタおよびレコーダが単一のハウジングに収容されるので、モニタを有する映像表示装置とレコーダを有する映像記録装置とが相互に独立したハウジングに収容される構成と比較して、省スペース化を実現できる利点がある。
【０００９】
また、この発明にかかる車両用映像表示システムでは、補助カメラとハウジングとが着脱可能な一体構造を有するので、補助カメラをハウジングに対して異なる位置に設置できる。これにより、補助カメラの設置位置の自由度が拡張される利点がある。
【図面の簡単な説明】
【００１０】
【図１】図１は、この発明の実施の形態にかかる車両用映像表示システムを示す機能ブロック図である。
【図２】図２は、図１に記載した車両用映像表示システムの本体装置を示す説明図である。
【図３】図３は、図１に記載した車両用映像表示システムの本体装置を示す説明図である。
【図４】図４は、図１に記載した車両用映像表示システムの本体装置を示す説明図である。
【図５】図５は、図１に記載した補助カメラの着脱構造を示す説明図である。
【図６】図６は、図１に記載した補助カメラを示す斜視図である。
【図７】図７は、図１に記載した車両用映像表示システムの作用を示す説明図である。
【図８】図８は、図１に記載した車両用映像表示システムの作用を示す説明図である。
【図９】図９は、図１に記載した車両用映像表示システムの作用を示す説明図である。
【図１０】図１０は、図１に記載した車両用映像表示システムの作用を示す説明図である。
【発明を実施するための形態】
【００１１】
以下、この発明につき図面を参照しつつ詳細に説明する。なお、この実施の形態によりこの発明が限定されるものではない。また、この実施の形態の構成要素には、発明の同一性を維持しつつ置換可能かつ置換自明なものが含まれる。また、この実施の形態に記載された複数の変形例は、当業者自明の範囲内にて任意に組み合わせが可能である。
【００１２】
［車両用映像表示システム］
図１は、この発明の実施の形態にかかる車両用映像表示システムを示す機能ブロック図である。同図は、車両用映像表示システムの一例として、映像表示装置のモニタとドライブレコーダとを一体化して成る車両用映像表示システムを示している。
【００１３】
この車両用映像表示システム１は、車両に搭載されて映像を表示するシステムであり、（１）映像表示機能と、（２）ドライブレコーダ機能との双方を兼ね備える。
【００１４】
（１）映像表示機能とは、特に、車両の後方や左右側方などの運転席から目視し難い領域の映像をカメラで取得して、運転席に設置されたモニタに表示する機能である。この機能により、運転席からの車両周囲の安全確認が容易となる。この機能は、例えば、トレーラを牽引するトラクター、貨物室を有する中型商用車、トラック・バスなどの大型車両などにおいて、特に重要である。
【００１５】
（２）ドライブレコーダ機能とは、例えば、車両の周囲や車内の様子などの映像をカメラで取得して記録する機能である。この機能により、車両走行時の状況などの事後的な検証が容易となる。一般的なドライブレコーダでは、車両前方の映像を取得して記録する場合が多い。
【００１６】
図１に示すように、車両用映像表示システム１は、複数の主カメラ２１〜２３および補助カメラ２４と、映像表示ユニット３と、映像記録ユニット４と、制御ユニット５とを備える。
【００１７】
複数の主カメラ２１〜２３および補助カメラ２４は、車両に搭載されて所定の映像を取得する装置である。複数の主カメラ２１〜２３は、主として上記の映像表示機能を実現し、補助カメラ２４は、主として上記のドライブレコーダ機能を実現する。
【００１８】
例えば、図１の構成では、第一主カメラ２１、第二主カメラ２２および第三主カメラ２３と、１つの補助カメラ２４とが設置されている。また、第一主カメラ２１が、車両の後方を撮影するための後方カメラであり、例えば、車両の荷台の後部中央に設置されている。第二主カメラ２２および第三主カメラ２３は、車両の左右側方を撮影するための左側方カメラおよび右側方カメラであり、例えば、車両の左右のサイドミラーに設置されている。これらの主カメラ２１〜２３により、運転席から目視し難い領域の撮像が可能となっている。また、補助カメラ２４が、車両の前方を撮影するための前方カメラであり、車体のフロント部に設置されている。この補助カメラ２４により、車両走行時における運転席からの視界の撮像が可能となっている。
【００１９】
映像表示ユニット３は、表示装置であり、主として上記の映像表示機能を実現する。この映像表示ユニット３は、モニタ３１と、モニタコントローラ３２と、マルチプレクサ３３と、切替スイッチ３４とを有する。モニタ３１は、例えば、液晶ディスプレイであり、主として主カメラ２１〜２３からの映像を表示し、必要に応じて、補助カメラ２４からの映像を表示する。モニタコントローラ３２は、モニタ３１の表示を制御する装置であり、モニタ３１に接続される。マルチプレクサ３３は、複数の主カメラ２１〜２３および補助カメラ２４からの各映像をモニタコントローラ３２に選択的に転送する装置（カメラセレクタ）であり、第二主カメラ２２、第三主カメラ２３、補助カメラ２４およびモニタコントローラ３２に接続される。切替スイッチ３４は、第一主カメラ２１とモニタコントローラ３２およびマルチプレクサ３３との接続を切り替えるスイッチであり、第一主カメラ２１、モニタコントローラ３２およびマルチプレクサ３３に接続される。
【００２０】
例えば、図１の構成では、モニタ３１が表示画面を運転席に向けて配置されている。これにより、車両走行時においても、ユーザーがモニタ３１の表示画面を容易に視認できる。また、マルチプレクサ３３が主カメラ２１〜２３（必要に応じて補助カメラ２４）からの各映像をモニタコントローラ３２に同時あるいは選択的に転送し、モニタコントローラ３２がこれらの映像をシングルビジョンあるいはマルチビジョンでモニタ３１の表示画面に表示させる。これにより、ユーザーが、主カメラ２１〜２３（必要に応じて補助カメラ２４）からの映像をモニタ３１の表示画面上で確認でき、また、マルチビジョンにて複数の主カメラ２１〜２３からの映像を同時に確認できる。また、切替スイッチ３４がモニタコントローラ３２側に接続する場合には、第一主カメラ２１からの映像が直接的にモニタコントローラ３２に送られてモニタ３１の表示画面にシングルビジョンで表示される。一方で、切替スイッチ３４がマルチプレクサ３３側に接続する場合には、第一主カメラ２１からの映像がマルチプレクサ３３に送られ、第一主カメラ２１からの映像と他の第二主カメラ２２および第三主カメラ２３からの映像とがモニタコントローラ３２に同時に送られてモニタ３１の表示画面にマルチビジョンで表示される。
【００２１】
映像記録ユニット４は、記憶装置であり、主として上記のドライブレコーダ機能を実現する。この映像記録ユニット４は、レコーダ４１と、外部メモリ４２とを有する。レコーダ４１は、映像信号を記録するための装置であり、主として補助カメラ２４からの映像信号を記録し、必要に応じて、各主カメラ２１〜２３の映像信号も記録する。このレコーダ４１は、例えば、自身でデータを記憶可能な内蔵型のハードディスクであっても良いし、外部メモリ４２にデータを記憶させるためのリーダ・ライタであっても良い。外部メモリ４２は、例えば、ＳＤカード、ＵＳＢメモリなどのリムーバブルメモリであっても良いし、外付けハードディスクであっても良い。
【００２２】
例えば、図１の構成では、レコーダ４１がＳＤカード用リーダ・ライタであり、外部メモリ４２がＳＤカードである。また、レコーダ４１の作動時には、外部メモリ４２がレコーダ４１にデータ書き込み可能に挿入される。そして、レコーダ４１が、補助カメラ２４からの映像信号を外部メモリ４２に直接的に記憶している。なお、レコーダ４１は、書き込み専用のライタであっても良い。
【００２３】
制御ユニット５は、車両用映像表示システム１の動作を統括的に制御する装置であり、中央制御部５１と、ＲＯＭ（Read-Only Memory）５２およびＲＡＭ（Random-Access Memory）５３とを有する。中央制御部５１は、ＣＰＵ（Central Processing Unit）であり、ＲＯＭ５２に記憶された各種のデータを必要に応じて参照しつつ、ＲＯＭ５２に記憶された各種のプログラムを読み込んで実行する。ＲＯＭ５２は、不揮発性メモリあるいは磁気記憶装置であり、中央制御部５１での処理に用いられる各種のプログラムやデータを格納する。各種のプログラムには、例えば、映像表示ユニット３の動作を制御するための映像表示ユニット制御プログラム、映像記録ユニット４の動作を制御するための映像記録ユニット制御プログラムが含まれる。また、制御ユニット５は、車両の左右のウィンカー信号、ブレーキ信号、車速信号、エンジン回転数信号、シフトポジション信号、ＧＰＳ（Global Positioning System）信号などを入出力部Ｉ／Ｏを介して取得し、これらの信号に基づいて、各種の制御を行い得る。
【００２４】
また、車両用映像表示システム１は、リモートコントローラ６１、操作スイッチ６２、マイクロフォン６３、スピーカ６４および表示ランプ６５を備える。リモートコントローラ６１は、映像表示ユニット３および映像記録ユニット４を操作するための操作端末であり、例えば、赤外線通信により操作信号を送信する。操作スイッチ６２は、映像表示ユニット３、映像記録ユニット４、マイクロフォン６３の音量などを操作するためのスイッチである。マイクロフォン６３は、車両内外の音を集音する。スピーカ６４は、アラートや音声案内などを出力する。表示ランプ６５は、車両用映像表示システム１の動作状況などの情報を点灯表示する。
【００２５】
また、車両用映像表示システム１は、車両の常時電源７１およびアクセサリ電源７２にそれぞれ接続されて車両のバッテリから電力供給を受ける。したがって、この車両用映像表示システム１は、アクセサリＯＦＦの状態においても、常時電源７１から電力供給を受けて動作できる。
【００２６】
この車両用映像表示システム１では、（１）車両の所定位置に設置された３つの主カメラ２１〜２３が、車両の後方、左側方および右側方の映像をそれぞれ取得して、映像信号を映像表示ユニット３にそれぞれ送る。すると、映像表示ユニット３が、各主カメラ２１〜２３からの映像信号に基づいて、選択された１つあるいは複数の映像をモニタ３１の表示画面に表示する。これにより、映像表示機能が実現されて、ユーザーが主カメラ２１〜２３からの映像をモニタ３１の表示画面上で確認できる。なお、モニタ３１における映像表示パターンの具体例については、後述する。
【００２７】
また、（２）車両走行時には、補助カメラ２４が車両の前方の映像を取得して、映像信号をマルチプレクサ３３を介して制御ユニット５に送る。そして、制御ユニット５が、補助カメラ２４からの映像信号を映像記録ユニット４に送り、映像記録ユニット４が、この映像信号を記録する。これにより、ドライブレコーダ機能が実現されて、車両走行時の状況などの事後的な検証が容易となる。
【００２８】
なお、図１の構成では、上記のように、車両用映像表示システム１が、後方カメラ、左側方カメラおよび右側方カメラから成る３つの主カメラ２１〜２３を備えている。しかし、これに限らず、車両用映像表示システム１が、第四の主カメラを備えても良い（図示省略）。かかる第四の主カメラとしては、例えば、車両の荷台後部に配置されて上方から車両のテール部付近を撮像するカメラ、車両の荷台内部を撮像するカメラなどが挙げられる。
【００２９】
また、図１の構成では、上記のように、補助カメラ２４が、主としてドライブレコーダ機能を実現するための前方カメラとなっている。しかし、これに限らず、車両用映像表示システム１が、所定の映像を記録するための第二の補助カメラを備えても良い（図示省略）。かかる第二の補助カメラとしては、例えば、運転席や乗員席を撮像するカメラ、車両の荷台内部を撮像するカメラなどが挙げられる。
【００３０】
また、図１の構成では、上記のように、レコーダ４１がリムーバブルメモリ４２にデータを記憶させるためのリーダ・ライタであり、補助カメラ２４からの映像信号をリムーバブルメモリ４２に直接的に記憶している。かかる構成では、内蔵ハードディスクが省略されて、映像記録ユニット４が小型化および軽量化される点で好ましい。しかし、これに限らず、映像記録ユニット４が、レコーダ４１として内蔵ハードディスクあるいは外付けハードディスクを有しても良い（図示省略）。
【００３１】
［モニタ、レコーダおよび補助カメラの一体構造］
図２〜図４は、図１に記載した車両用映像表示システムの本体装置を示す説明図である。これらの図は、本体装置１０の正面斜視図（図２）、背面斜視図（図３）および背面図（図４）をそれぞれ示している。なお、これらの図において、一点鎖線Ｏは、車両のルームミラー用の支持部材の中心線を示している。
【００３２】
この車両用映像表示システム１では、図１に示すように、映像表示ユニット３、映像記録ユニット４のレコーダ４１および制御ユニット５が、一体化されて１つの本体装置１０を構成する。具体的には、映像表示ユニット３、映像記録ユニット４のレコーダ４１（およびレコーダ４１に挿入された外部メモリ４２）、制御ユニット５、操作スイッチ６２、マイクロフォン６３、スピーカ６４、表示ランプ６５および入出力部Ｉ／Ｏが、１つのハウジング１１に収容されて、本体装置１０を構成している。
【００３３】
また、図２に示すように、本体装置１０のハウジング１１が、全体として幅広な箱型形状を有する。また、モニタ３１が、ハウジング１１の一方の面に表示画面を現して配置される。また、複数の操作スイッチ６２および表示ランプ６５が、モニタ３１の表示画面の周囲に配置される。また、外部メモリ４２の挿入口が、ハウジング１１の幅方向の端部に配置される。また、ハウジング１１が、外部メモリ４２の飛び出しを防止するために、外部メモリ４２の挿入口を塞ぐカバー１１２を有する。
【００３４】
また、図３および図４に示すように、補助カメラ２４、マイクロフォン６３、スピーカ６４および入力端子１２が、ハウジング１１の他方の面（モニタ３１の表示画面を有する側に対して背面側）に配置される。入力端子１２は、３台の主カメラ２１〜２３からの映像信号や、車両の左右のウィンカー信号、ブレーキ信号、車速信号、エンジン回転数信号、シフトポジション信号、ＧＰＳ（Global Positioning System）信号などの各種信号を入力するための端子１２である。また、ハウジング１１が、カメラホルダ１１３を有し、補助カメラ２４が、このカメラホルダ１１３に着脱可能に保持されてハウジング１１に一体化される。なお、この補助カメラ２４の着脱可能な保持構造については、後述する。
【００３５】
また、本体装置１０のハウジング１１が、車両のルームミラー用支持部に対して取付可能な取付部１１１を有する。この取付部１１１は、ハウジング１１に形成された取付穴であり、ルームミラー用支持部に対して螺合可能な構造を備える。これにより、本体装置１０が、ルームミラーに替えて車内のルームミラー用支持部に設置できる。このとき、本体装置１０が、モニタ３１の表示画面を車内（好ましくは、運転席側）に向けつつ、補助カメラ２４を有する側を車両前方に向けて設置される。これにより、乗員が車内からモニタ３１の表示画面を視認でき、同時に、補助カメラ２４が車両のフロントガラス越しに車両前方を撮影できる。
【００３６】
このように、この車両用映像表示システム１では、映像表示ユニット３、映像記録ユニット４のレコーダ４１および制御ユニット５が一体構造を有することにより、省スペース化が図られる。さらに、図１に示すように、補助カメラ２４が、映像表示ユニット３、映像記録ユニット４のレコーダ４１および制御ユニット５と一体構造を有することにより、更なる省スペース化が図られる。
【００３７】
なお、図２の構成では、上記のように、本体装置１０が車両のルームミラー用支持部に対して取付可能な取付部１１１を有している。かかる構成では、本体装置１０のモニタ３１をドライバーの視認し易い位置に簡易に配置できる点で好ましい。しかし、これに限らず、本体装置１０が、車両のルームミラーに嵌合可能な嵌合部（例えば、ルームミラーを保持する爪部）を有することによりルームミラー自体に取り付けられて設置されても良いし、例えば、車両のダッシュボードの上に載せ置かれても良い（図示省略）。
【００３８】
［補助カメラの着脱構造］
図５は、図１に記載した補助カメラの着脱構造を示す説明図である。図６は、図１に記載した補助カメラを示す斜視図である。これらの図において、図５は、補助カメラ２４を本体装置１０から取り外したときの様子を示し、図６は、単体の補助カメラ２４を示している。
【００３９】
この車両用映像表示システム１では、図３〜図６に示すように、補助カメラ２４が、本体装置１０に対して着脱可能な構造を有する。
【００４０】
すなわち、図３および図４の構成では、補助カメラ２４が、本体装置１０のハウジング１１に装着されて一体化されている。このとき、補助カメラ２４が、ハウジング１１に対してネジ止めされて固定されている。そして、補助カメラ２４が、本体装置１０と共に車両のルームミラー用支持部（中心軸Ｏ）に取り付けられている。これにより、例えば、独立した補助カメラをルームミラーの近傍に配置する構成と比較して、省スペース化できる。なお、補助カメラ２４とハウジング１１との固定手段は、上記のネジ止めに限らず、例えば、ハウジング１１が補助カメラ２４を保持する爪部を有することにより補助カメラ２４を保持する構造などにより実現されても良い。
【００４１】
一方、図５および図６の構成では、補助カメラ２４が、本体装置１０のハウジング１１から取り外されて離脱している。ハウジング１１に対する補助カメラ２４の着脱は、固定用のネジの着脱により、容易にできる。また、図５および図６に示すように、単体の補助カメラ２４は、本体装置１０の全体と比較して、非常に小さくコンパクトな形状を有し、場所を選ばず任意の位置に設置できるように構成されている。
【００４２】
このように、補助カメラ２４を着脱可能な構造とすることにより、補助カメラ２４を本体装置１０に対して異なる位置に設置できる。補助カメラ２４の設置位置は、特に限定がないが、例えば、車両のダッシュボードの上などが想定される。例えば、車両のルームミラーの位置がワイパーの払拭領域の範囲外にある場合には、補助カメラ２４を本体装置１０と共に車両のルームミラー用支持部に取り付けたとしても、補助カメラ２４の視界が不良である場合がある。そこで、補助カメラ２４を本体装置１０から取り外してワイパーの払拭領域の範囲内に設置することにより、適正な映像を得られる。
【００４３】
また、上記の構成では、図５に示すように、本体装置１０のハウジング１１が、カメラホルダ１１３を有する。このカメラホルダ１１３は、ハウジング１１に形成された凹部であり、補助カメラ２４を嵌め込み可能な大きさおよび深さを有する。このように、カメラホルダ１１３を凹部とすることにより、補助カメラ２４がカメラホルダ１１３に嵌め込まれて一体化されたときに（図３参照）、本体装置１０全体をコンパクト化できる。
【００４４】
また、上記の構成では、図５に示すように、カメラホルダ１１３が、ハウジング１１の中心位置（図５では、ルームミラー用支持部に対する取付部１１１）から一方向に偏った位置に配置される。このため、補助カメラ２４が本体装置１０に装着されて本体装置１０がルームミラーの位置に設置されたときに、補助カメラ２４が、ルームミラーの中心軸Ｏから外れた位置に配置される。すると、本体装置１０を水平方向に回転させてモニタ３１の表示画面を運転席側に向けたときに、補助カメラ２４と車両のフロントガラスとの接触を防止できる。なお、上記の構成では、運転席を右側に有する車両を適用対象とする場合には、カメラホルダ１１３がハウジング１１の中心位置に対して右側に偏って配置され（図５参照）、逆に、運転席を左側に有する車両を適用対象とする場合には、カメラホルダ１１３がハウジング１１の中心位置に対して左側に偏って配置される（図示省略）。
【００４５】
また、上記の構成では、図５に示すように、補助カメラ２４が、本体装置１０に対してケーブル１１４を介して電気的に接続されている。このケーブル１１４の長さは、補助カメラ２４の設置位置と本体装置１０の設置位置との関係に応じて、適宜選択できることが好ましい。具体的には、例えば、本体装置１０（ハウジング１１）が、ケーブル１１４を巻き取りおよび巻き出し可能なケーブル機構を有する構成（図示省略）が挙げられる。このようなケーブル機構としては、例えば、バネ機構によりケーブルを自動巻取りできる公知のケーブル機構が採用され得る。また、例えば、補助カメラ２４と本体装置１０とが、着脱可能なケーブル１１４を介して接続される構成が挙げられる。これにより、相互に異なる長さを有する複数のケーブル１１４を適宜選択できる。
【００４６】
［映像表示パターンの具体例］
図７〜図１０は、図１に記載した車両用映像表示システムの作用を示す説明図である。これらの図は、３つの主カメラ２１〜２３により取得した映像をモニタ３１に表示するときの映像表示パターンをそれぞれ示している。
【００４７】
この車両用映像表示システム１は、上記のように、車両に搭載されて映像を取得する３台の主カメラ２１〜２３を備える（図１参照）。そして、３つの主カメラ２１〜２３が車両の後方、左側方および右側方の映像をそれぞれ撮像し、映像表示ユニット３が、各主カメラ２１〜２３からの映像信号に基づいて、所定の映像をシングルビジョンあるいはマルチビジョンでモニタ３１の表示画面に表示させる。これにより、映像表示機能が実現されて、ユーザーが主カメラ２１〜２３からの映像をモニタ３１の表示画面上で確認できる。
【００４８】
ここで、車両用映像表示システム１は、（ａ）手動モード、（ｂ）ウィンカー連動モードおよび（ｃ）リモコンボタン優先モードから成る３種類のモードにより、モニタ３１の映像表示パターンを変更できる。この映像表示パターンの設定変更は、ユーザーが操作スイッチ６２を操作してモードを選択することにより行われる。
【００４９】
（ａ）手動モードでは、ユーザーが、リモートコントローラ６１の操作により、モニタ３１に表示させる映像を３つの主カメラ２１〜２３の映像から任意に選択できる。具体的には、リモートコントローラ６１からの操作信号がマルチプレクサ３３に入力され、マルチプレクサ３３が、この操作信号に基づいて３つの主カメラ２１〜２３からの映像信号を択一的に選択してモニタコントローラ３２に転送する。そして、モニタコントローラ３２が、選択された映像信号をモニタ３１に入力して、モニタ３１が、この映像信号を表示画面に出力する。このとき、モニタ３１の表示画面がシングルビジョンに設定され、選択された１つのカメラ２１（２２、２３）からの映像のみがモニタ３１に表示される（図示省略）。
【００５０】
（ｂ）ウィンカー連動モードでは、モニタ３１の表示映像が、ウィンカー操作やバックギア操作などに連動して自動的に切り替わる。具体的には、制御ユニット５が、ウィンカー信号およびシフトポジション信号を車両の各種センサから取得し、これらの信号に基づいて、所定の映像選択信号をマルチプレクサ３３に入力する。すると、マルチプレクサ３３が、この映像選択信号に基づいて３つの主カメラ２１〜２３からの映像信号のうちの１つ或いは複数を選択して、モニタコントローラ３２に転送する。そして、モニタコントローラ３２が、選択された映像信号をモニタ３１に入力して、モニタ３１が、この映像信号を表示画面に出力する。このとき、選択された映像信号が１つの場合には、モニタコントローラ３２が、モニタ３１の表示画面をシングルビジョンに設定して、この映像信号の映像をモニタ３１に表示させる（図１０参照）。一方、選択された映像信号が複数ある場合には、モニタコントローラ３２が、モニタ３１の表示画面をマルチビジョンに設定して、これらの映像信号の映像をモニタ３１に同時に表示させる（図７〜図９参照）。
【００５１】
例えば、車両の前進走行時には、図７に示すように、表示画面が３画面のマルチビジョンに設定されて、３つの主カメラ２１〜２３からの映像がモニタ３１の表示画面に同時に表示される。これにより、モニタ３１の表示画面が車両のバックミラーおよび左右のサイドミラーとして機能し、ユーザーがモニタ３１の表示画面を視認することにより車両の周囲の様子を確認できる。
【００５２】
また、左ウィンカーが操作されると、図８に示すように、表示画面が２画面のマルチビジョンに設定されて、第一主カメラ２１による後方の映像と第二主カメラ２２による左側方の映像とがモニタ３１の表示画面に同時に表示される。このとき、第三主カメラ２３による右側方の映像が省略されることにより、左側方の映像が大きく映し出される。これにより、ユーザーが、ウィンカーの操作方向の映像を容易に視認できる。
【００５３】
また、右ウィンカーが操作されると、図９に示すように、表示画面が２画面のマルチビジョンに設定されて、第一主カメラ２１による後方の映像と第三主カメラ２３による右側方の映像とがモニタ３１の表示画面に同時に表示される。このとき、第二主カメラ２２による左側方の映像が省略されることにより、右側方の映像が大きく映し出される。これにより、ユーザーが、ウィンカーの操作方向の映像を容易に視認できる。
【００５４】
また、後進時にシフト操作が行われてシフトポジションがバックギアとなると、図１０に示すように、モニタ３１の表示画面がシングルビジョンに設定されて、第一主カメラ２１による車両後方の映像のみがモニタ３１の表示画面に表示される。これにより、ユーザーが、車両後方の映像を容易に視認できる。また、このとき、車両の荷台後部に配置されて上方から車両のテール部付近を撮像する第四の主カメラ（図示省略）が併用され、この第四の主カメラからの映像と第一主カメラ２１からの映像とが、マルチビジョンによりモニタ３１の表示画面に表示されても良い。これにより、ユーザーが、車両後方の映像をさらに容易に視認できる。
【００５５】
このように、モニタ３１の映像表示パターンがウィンカー操作やバックギア操作などに連動して自動的に切り替わることにより、ユーザーの操作負担が軽減される。
【００５６】
（ｃ）リモコンボタン優先モードでは、上記した（ａ）手動モードと（ｂ）ウィンカー連動モードが同時に運用され、且つ、（ａ）手動モードが優先的に用いられる。このため、リモートコントローラ６１の操作がない場合には、（ｂ）ウィンカー連動モードにより、モニタ３１の表示映像が自動的に切り替わる。また、リモートコントローラ６１の操作が行われた場合には、上記のように、リモートコントローラ６１からの操作信号に基づいてモニタ３１の表示映像が選択される。これにより、ユーザーのニーズに即した運用が行われる。
【００５７】
［効果］
以上説明したように、この車両用映像表示システム１は、車両に搭載されて確認用の映像を取得する主カメラ２１（図１では、車両後方を撮影する第一主カメラ２１）と、主カメラ２１からの映像信号を出力するモニタ３１と、車両に搭載されて記録用の映像を取得する補助カメラ２４と、補助カメラ２４からの映像信号を記録するレコーダ４１と、モニタ３１およびレコーダ４１を収容する単一のハウジング１１とを備える（図１参照）。
【００５８】
かかる構成では、モニタ３１およびレコーダ４１が単一のハウジング１１に収容されるので、モニタを有する映像表示装置とレコーダを有する映像記録装置とが相互に独立したハウジングに収容される構成（図示省略）と比較して、省スペース化を実現できる利点がある。
【００５９】
また、かかる構成では、システムの電源ラインや信号ラインを一部で共用化できるので、ハーネスの本数を低減できる利点がある。また、相互に独立した映像表示装置および映像記録装置を有する構成と比較して、システムの取付工程を低減できる利点がある。また、モニタ３１およびレコーダ４１を操作するためのリモートコントローラ６１を共用できる利点がある。
【００６０】
また、この車両用映像表示システム１では、主カメラ２１からの映像信号をモニタ３１側に転送すると共に補助カメラ２４からの映像信号をレコーダ４１側に転送するマルチプレクサ３３を備える（図１参照）。かかる構成では、モニタ３１側（図１では、映像表示ユニット３）とレコーダ４１側（図１では、映像記録ユニット４）とで、マルチプレクサ３３を共用できる。これにより、システムの部品点数を低減できる利点がある。
【００６１】
また、この車両用映像表示システム１では、レコーダ４１が、リムーバブルメモリである外部メモリ４２に対して映像信号を記録するライタである（図１参照）。かかる構成では、レコーダ４１が、外部メモリ４２に対して直接的に映像信号を記録するので、例えば、ハウジング１１に収容される記録用の内蔵ハードディスクを省略できる。これにより、本体装置１０の構成が簡素化および小型化されて、本体装置１０の設置が容易となる利点がある。
【００６２】
また、この車両用映像表示システム１では、ハウジング１１が、車両のルームミラー自体あるいはルームミラー用支持部に対して取付可能な取付部１１１を有する（図２参照）。かかる構成では、ハウジング１１を車両のルームミラーに対して或いはルームミラーに替えて設置できる。これにより、モニタ３１の視認性が向上する利点がある。
【００６３】
また、この車両用映像表示システム１では、補助カメラ２４とハウジング１１とが、一体構造を有する（図１および図３参照）。これにより、例えば、独立した補助カメラをルームミラーの近傍に配置する構成と比較して、システムを省スペース化できる利点がある。
【００６４】
また、この車両用映像表示システム１では、補助カメラ２４が、ハウジング１１の中心位置から一方向に偏った位置に配置される（図４参照）。かかる構成では、ハウジング１１がルームミラーの位置に設置されたときに、補助カメラ２４が、ルームミラーの中心軸Ｏから外れた位置に配置される。すると、ハウジング１１を水平方向に回転させてモニタ３１の表示画面を運転席側に向けたときに、補助カメラ２４と車両のフロントガラスとの接触を防止できる利点がある。
【００６５】
また、この車両用映像表示システム１では、補助カメラ２４とハウジング１１とが、着脱可能な一体構造を有する。かかる構成では、補助カメラ２４をハウジング１１に対して異なる位置に設置できるので、補助カメラ２４の設置位置の自由度が拡張される。例えば、トラック・バス用途において補助カメラ２４をダッシュボード上に設置できる利点がある。また、ハウジング１１の設置位置（例えば、ルームミラーの位置）がワイパーの払拭範囲外にあるときに、補助カメラ２４をハウジング１１から取り外してワイパーの払拭範囲内に配置できる利点がある。
【００６６】
また、この車両用映像表示システム１では、車両に搭載されて確認用の映像を取得する主カメラ２１と、主カメラ２１からの映像信号を出力するモニタ３１と、車両に搭載されて記録用の映像を取得する補助カメラ２４と、補助カメラ２４からの映像信号を記録するレコーダ４１とを備える（図１参照）。また、補助カメラ２４とモニタ３１のハウジング１１とが着脱可能な一体構造を有する（図５参照）。
【００６７】
かかる構成では、補助カメラ２４とハウジング１１とが着脱可能な一体構造を有するので、補助カメラ２４をハウジング１１に対して異なる位置に設置できる。これにより、補助カメラ２４の設置位置の自由度が拡張される利点がある。例えば、トラック・バス用途において補助カメラ２４をダッシュボード上に設置できる利点がある。また、ハウジング１１の設置位置（例えば、ルームミラーの位置）がワイパーの払拭範囲外にあるときに、補助カメラ２４をハウジング１１から取り外してワイパーの払拭範囲内に配置できる利点がある。
【００６８】
また、この車両用映像表示システム１では、ハウジング１１が、補助カメラ２４を着脱可能に保持するカメラホルダ１１３を有する（図５参照）。これにより、補助カメラ２４をハウジング１１に対して着脱可能に設置できる利点がある。
【００６９】
また、この車両用映像表示システム１では、カメラホルダ１１３が、ハウジング１１に形成された凹部である（図５参照）。かかる構成では、補助カメラ２４を凹部であるカメラホルダ１１３に嵌め込むことにより、本体装置１０をコンパクト化できる利点がある（図３参照）。
【００７０】
また、この車両用映像表示システム１では、補助カメラ２４が、ケーブル１１４を介してハウジング１１側（図１では、映像表示ユニット３）に電気的に接続されると共に（図５参照）、ハウジング１１が、ケーブル１１４を巻き取りおよび巻き出し可能なケーブル機構（図示省略）を有する。かかる構成では、ケーブル１１４をハウジング１１から巻き取りおよび巻き出しすることにより、ケーブル１１４の長さを補助カメラ２４の設置位置に応じて柔軟に変更できる利点がある。
【００７１】
また、この車両用映像表示システム１では、補助カメラ２４が、着脱可能なケーブル１１４を介してハウジング１１側（図１では、映像表示ユニット３）に電気的に接続される（図５参照）。かかる構成では、相互に異なる長さを有する複数のケーブル１１４を準備して、適切な長さを有するケーブル１１４を補助カメラ２４の設置位置に応じて選択できる利点がある。
【００７２】
また、この車両用映像表示システム１では、補助カメラ２４が、ハウジング１１の中心位置から一方向に偏った位置に配置される（図４参照）。かかる構成では、補助カメラ２４がハウジング１１に装着されてハウジング１１がルームミラーの位置に設置されたときに、補助カメラ２４が、ルームミラーの中心軸Ｏから外れた位置に配置される。すると、本体装置１０を水平方向に回転させてモニタ３１の表示画面を運転席側に向けたときに、補助カメラ２４と車両のフロントガラスとの接触を防止できる。
【００７３】
また、この車両用映像表示システム１では、車両に搭載されて映像を取得する複数の主カメラ２１〜２３を備える（図１参照）。また、モニタ３１が、複数の主カメラ２１〜２３からの映像信号をマルチビジョンで出力する（図７参照）。これにより、ユーザーが複数の主カメラ２１〜２３からの映像を１つのモニタ３１で確認できる利点がある。
【符号の説明】
【００７４】
１：車両用映像表示システム、２１：第一主カメラ（後方カメラ）、２２：第二主カメラ（左側方カメラ）、２３：第三主カメラ（右側方カメラ）、２４：補助カメラ（前方カメラ）、３：映像表示ユニット、３１：モニタ、３２：モニタコントローラ、３３：マルチプレクサ、３４：切替スイッチ、４：映像記録ユニット、４１：レコーダ、４２：外部メモリ（リムーバブルメモリ）、５：制御ユニット、５１：中央制御部、５２：ＲＯＭ、５３：ＲＡＭ、６１：リモートコントローラ、６２：操作スイッチ、６３：マイクロフォン、６４：スピーカ、６５：表示ランプ、７１：常時電源、７２：アクセサリ電源、１０：本体装置、１１：ハウジング、１１１：取付部、１１２：カバー、１１３：カメラホルダ、１１４：ケーブル、１２：入力端子
【図１】
2014168169.tif 000003
【図２】
2014168169.tif 000004
【図３】
2014168169.tif 000005
【図４】
2014168169.tif 000006
【図５】
2014168169.tif 000007
【図６】
2014168169.tif 000008
【図７】
2014168169.tif 000009
【図８】
2014168169.tif 000010
【図９】
2014168169.tif 000011
【図１０】
2014168169.tif 000012